(57)【特許請求の範囲】
【請求項１】
屋上スラブを有する建物に配設される排水管の上部に設置されて、当該排水管に外気を取り込む屋上通気装置であって、
前記屋上スラブを上下方向に貫通し、当該屋上スラブに固定される鞘管、
前記屋上スラブの上面から前記鞘管の外周面にかけて形成される防水層、
前記鞘管との間を密封された状態で当該鞘管の内部に挿通され、前記排水管に接続される通気管、
前記通気管の上端開口を間隔を隔てて覆う通気管保護部材、および
前記鞘管の上端部の外周面と前記通気管の外周面とにまたがってそれらを覆うゴムカバーを備え、
前記ゴムカバーは、本体上部、本体中部、および本体下部からなり、前記通気管の外周面に前記本体上部が密着するとともに、前記鞘管の外周面に前記本体中部が密着し、さらに前記防水層の上端部分を前記本体下部が覆う、屋上通気装置。
【請求項２】
前記鞘管は、前記屋上スラブを上下方向に貫通する貫通孔の内部に充填材を介して配置される、請求項１記載の屋上通気装置。
【請求項３】
前記鞘管の外周面に固定的に設けられる、かつ当該鞘管の径方向の外側に突出するフランジ部をさらに備える、請求項１または２記載の屋上通気装置。
【請求項４】
請求項１記載の屋上通気装置の施工方法であって、
（ａ）型枠に鞘管を配置するステップ、
（ｂ）前記型枠内にコンクリートを打設して、前記鞘管を一体的に埋め込んだ屋上スラブを形成するステップ、
（ｃ）前記屋上スラブの前記鞘管の外周面にかけて防水層を形成するステップ、
（ｄ）前記鞘管の内部に通気管を挿通して、当該通気管と前記建物に配設された排水管とを接続するステップ、
（ｅ）本体上部、本体中部、および本体下部からなるゴムカバーを、前記通気管の外周面に前記本体上部が密着するとともに、前記鞘管の外周面に前記本体中部が密着し、さらに前記防水層の上端部分を前記本体下部が覆うように装着するステップ、および
（ｆ）前記通気管の上端開口を通気管保護部材で覆うステップを含む、屋上通気装置の施工方法。
【請求項５】
請求項２記載の屋上通気装置の施工方法であって、
（ａ）前記屋上スラブを上下方向に貫通する貫通孔の内部に鞘管を配置するステップ、
（ｂ）前記貫通孔の内部に充填材を充填するステップ、
（ｃ）前記屋上スラブの前記鞘管の外周面にかけて防水層を形成するステップ、
（ｄ）前記鞘管の内部に通気管を挿通して、当該通気管と前記建物に配設された排水管とを接続するステップ、
（ｅ）本体上部、本体中部、および本体下部からなるゴムカバーを、前記通気管の外周面に前記本体上部が密着するとともに、前記鞘管の外周面に前記本体中部が密着し、さらに前記防水層の上端部分を前記本体下部が覆うように装着するステップ、および
（ｆ）前記通気管の上端開口を通気管保護部材で覆うステップを含む、屋上通気装置の施工方法。
【請求項６】
請求項３記載の屋上通気装置の施工方法であって、
（ａ）型枠にフランジ部を固定することによって、当該型枠に鞘管を配置するステップ、
（ｂ）前記型枠内にコンクリートを打設して、前記鞘管を一体的に埋め込んだ屋上スラブを形成するステップ、
（ｃ）前記屋上スラブの前記鞘管の外周面にかけて防水層を形成するステップ、
（ｄ）前記鞘管の内部に通気管を挿通して、当該通気管と前記建物に配設された排水管とを接続するステップ、
（ｅ）本体上部、本体中部、および本体下部からなるゴムカバーを、前記通気管の外周面に前記本体上部が密着するとともに、前記鞘管の外周面に前記本体中部が密着し、さらに前記防水層の上端部分を前記本体下部が覆うように装着するステップ、および
（ｆ）前記通気管の上端開口を通気管保護部材で覆うステップを含む、屋上通気装置の施工方法。
【請求項７】
請求項３記載の屋上通気装置の施工方法であって、
（ａ）屋上スラブの下面にフランジ部を固定することによって、当該屋上スラブを上下方向に貫通する貫通孔の内部に鞘管を配置するステップ、
（ｂ）前記貫通孔の内部に充填材を充填するステップ、
（ｃ）前記屋上スラブの前記鞘管の外周面にかけて防水層を形成するステップ、
（ｄ）前記鞘管の内部に通気管を挿通して、当該通気管と前記建物に配設された排水管とを接続するステップ、
（ｅ）本体上部、本体中部、および本体下部からなるゴムカバーを、前記通気管の外周面に前記本体上部が密着するとともに、前記鞘管の外周面に前記本体中部が密着し、さらに前記防水層の上端部分を前記本体下部が覆うように装着するステップ、および
（ｆ）前記通気管の上端開口を通気管保護部材で覆うステップを含む、屋上通気装置の施工方法。
【発明の詳細な説明】
【技術分野】
【０００１】
この発明は、屋上通気装置、その施工方法、およびその通気管更新方法に関し、特にたとえば、屋上スラブを有する建物に配設される排水管の上部に設置されて、当該排水管に外気を取り込む屋上通気装置、その施工方法、およびその通気管更新方法に関する。
【背景技術】
【０００２】
従来、集合住宅やビルなどの高層建築に配設される排水立て管に外気を取り入れるために、この排水立て管の上部に屋上通気装置を設置する技術が公知である。
【０００３】
たとえば、特許文献１には、屋上スラブのコンクリートに埋設される屋上通気装置が開示されている。この屋上通気装置では、通気立上管とその下端部に設けられたソケットが屋上スラブに一体的に埋め込まれており、このソケットを介して、排水立て管の上部に連結されている通気管と通気立上管とが接続される。
【０００４】
また、特許文献２には、打込支持体を有する排水通気用管継手（屋上通気装置）が開示されている。この排水通気用管継手では、打込支持体の筒状部と受皿部とがコンクリート床壁内に埋め込まれており、筒状部によってコンクリート床壁を上下方向に貫通する挿通孔が形成される。そして、コンクリート床壁の上面に配置された受皿部に継手管体が固定され、この継手管体に挿通孔に挿通させた通気管（通気立上管）が接続される。
【特許文献１】特開２００６−１２４９８１号［Ｅ０４Ｄ  １３／１４］
【特許文献２】特開平１０−２５８６５号［Ｅ０４Ｄ  １３／１４３］
【発明の概要】
【発明が解決しようとする課題】
【０００５】
特許文献１の技術では、通気立上管が屋上スラブのコンクリートに埋設・固定されるため、屋上スラブのコンクリートの一部を壊さなければ、通気立上管の補修や交換（更新）をすることができない。さらに、通気立上管の外周を覆うように防水層が形成されるため、通気立上管を更新するためにはこの防水層を剥がさなくてはならず、その施工に手間と時間がかかる。
【０００６】
特許文献２の技術では、打込支持体の筒状部が形成する挿通孔に通気管が挿通されるため、受皿部から継手管体を取り外すことによって、通気管の抜き差しが可能である。しかしながら、コンクリート床壁の上面から継手本体の外周面にかけて防水層が敷設されるため、通気管を更新するためにはこの防水層を剥がさなくてはならず、やはり、その施工に手間と時間がかかる。
【０００７】
それゆえに、この発明の主たる目的は、新規な、屋上通気装置、その施工方法、およびその通気管更新方法を提供することである。
【０００８】
この発明の他の目的は、容易に通気管を更新することができる、屋上通気装置、その施工方法、およびその通気管更新方法を提供することである。
【課題を解決するための手段】
【０００９】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【００１０】
第１の発明は、屋上スラブを有する建物に配設される排水管の上部に設置されて、当該排水管に外気を取り込む屋上通気装置であって、屋上スラブを上下方向に貫通し、当該屋上スラブに固定される鞘管、屋上スラブの上面から鞘管の外周面にかけて形成される防水層、鞘管との間を密封された状態で当該鞘管の内部に挿通され、排水管に接続される通気管、通気管の上端開口を間隔を隔てて覆う通気管保護部材、および
鞘管の上端部の外周面と通気管の外周面とにまたがってそれらを覆うゴムカバーを備え、ゴムカバーは、本体上部、本体中部、および本体下部からなり、通気管の外周面に本体上部が密着するとともに、鞘管の外周面に本体中部が密着し、さらに防水層の上端部分を本体下部が覆う、屋上通気装置である。
【００１１】
第１の発明では、屋上通気装置（１０）は、建物（１００）に配設された排水管（１０２）に外気を取り込むために、排水管の上部に設置されるものであり、建物の屋上スラブ（１０４）を上下方向に貫通する鞘管（１２）と通気管（１４）とを備えている。通気管は、たとえば塩化ビニルやポリエチレンなど合成樹脂製パイプであり、鞘管との間を密封された状態で当該鞘管の内部に挿通されて、その下端が排水管と接続される。また、通気管の上端部には、たとえば、取付金具（２４）が固定され、この取付金具を介して、通気管の上端開口を覆う通気管保護部材（２６）が設けられる。さらに、鞘管（１２）の上端部には、ゴムカバー（１２０，１３２）が設けられる。ゴムカバーは、たとえば略円筒状に形成され、鞘管の外周面と通気管（１４）の外周面とにまたがってそれらを覆う。ゴムカバーは、本体上部、本体中部、および本体下部からなり、通気管の外周面に本体上部が密着するとともに、鞘管の外周面に本体中部が密着し、さらに屋上スラブの上面から鞘管の外周面にかけて形成される防水層の上端部分を本体下部が覆う、屋上通気装置である。
【００１２】
第１の発明によれば、屋上スラブを壊すことなく通気管を更新することができる。さらに、たとえば屋上スラブの上面から鞘管の外周面にかけて防水層が形成されていても、防水層を剥がすことなく通気管を更新することができる。したがって、屋上通気装置の通気管を容易に更新することができる。しかも、鞘管の外周面と通気管の外周面との間が密封される。したがって、鞘管と通気管との間の水密性および気密性を確保することができる。そして、鞘管の外周面が外部に露出しないことにより、鞘管の耐候性を向上させることができる。したがって、鞘管の経年的な劣化を抑制することができる。
【００２２】
第２の発明は、第１の発明に従属し、鞘管は、屋上スラブを上下方向に貫通する貫通孔の内部に充填材を介して配置される。
【００２３】
第２の発明では、たとえば屋上スラブ（１０４）のコンクリートの打設時に型枠（１０６）にボイド管（１１４）を配置することによって、屋上スラブ（１０４）を上下方向に貫通する貫通孔（１１６）が形成され、この貫通孔の内部に鞘管（１２）が配置される。貫通孔の内部には、充填材（１１８）が充填され、この充填材を介して鞘管が屋上スラブに固定される。
【００２４】
第３の発明は、第１または２の発明に従属し、鞘管の外周面に固定的に設けられる、かつ当該鞘管の径方向の外側に突出するフランジ部をさらに備える。
【００２５】
第３の発明では、鞘管（１２）の外周面には、鞘管の径方向の外側へ突出するフランジ部（２０）が設けられる。たとえば、フランジ部は、型枠（１０６）に固定され、屋上スラブ（１０４）のコンクリートの打設時に、屋上スラブに一体的に埋め込まれて、鞘管の浮き上がりや傾きを防止する。また、たとえば、フランジ部は、屋上スラブの下面に固定され、貫通孔（１１６）内への充填材（１１８）の充填時に、この充填材の下方への漏れを防止する。
【００２６】
第４の発明は、第１の発明の屋上通気装置の施工方法であって、（ａ）型枠に鞘管を配置するステップ、（ｂ）型枠内にコンクリートを打設して、鞘管を一体的に埋め込んだ屋上スラブを形成するステップ、（ｃ）屋上スラブの鞘管の外周面にかけて防水層を形成するステップ、（ｄ）鞘管の内部に通気管を挿通して、当該通気管と建物に配設された排水管とを接続するステップ、（ｅ）本体上部、本体中部、および本体下部からなるゴムカバーを、通気管の外周面に本体上部が密着するとともに、鞘管の外周面に本体中部が密着し、さらに防水層の上端部分を本体下部が覆うように装着するステップ、および（ｆ）通気管の上端開口を通気管保護部材で覆うステップを含む、屋上通気装置の施工方法である。
【００２７】
第４の発明では、ステップ（ａ）において、屋上スラブ（１０４）を形成するための型枠（１０６）を形成し、その型枠内に鞘管（１２）を配置する。ステップ（ｂ）において、型枠内にコンクリートを打設して、鞘管を一体的に埋設固定した屋上スラブを形成する。ステップ（ｃ）において、屋上スラブの鞘管の外周面にかけて防水層を形成し、ステップ（ｄ）では、鞘管内に通気管（１４）を挿通させて、その下端を管連結部材（１１０）に接続する。そして、この管連結部材を介して、建物（１００）に配設された排水管（１０２）と通気管とを接続する。そして、ステップ（ｅ）において、ゴムカバーを、通気管の外周面に本体上部が密着するとともに、鞘管の外周面に本体中部が密着し、さらに防水層の上端部分を本体下部が覆うように装着する。ステップ（ｆ）において、通気管の上端部に取付金具（２４）を固定し、この取付金具を介して、通気管の上端開口を覆う通気管保護部材（２６）を設ける。
【００２８】
第７の発明によれば、第１の発明と同様の作用効果を奏する。
【００２９】
第５の発明は、第２の発明の屋上通気装置の施工方法であって、（ａ）屋上スラブを上下方向に貫通する貫通孔の内部に鞘管を配置するステップ、（ｂ）貫通孔の内部に充填材を充填するステップ、（ｃ）屋上スラブの鞘管の外周面にかけて防水層を形成するステップ、（ｄ）鞘管の内部に通気管を挿通して、当該通気管と建物に配設された排水管とを接続するステップ、（ｅ）本体上部、本体中部、および本体下部からなるゴムカバーを、通気管の外周面に本体上部が密着するとともに、鞘管の外周面に本体中部が密着し、さらに防水層の上端部分を本体下部が覆うように装着するステップ、および（ｆ）通気管の上端開口を通気管保護部材で覆うステップを含む、屋上通気装置の施工方法である。
【００３０】
第５の発明では、ステップ（ａ）において、屋上スラブ（１０４）を上下方向に貫通する貫通孔（１０６）の内部に鞘管（１２）を配置する。ステップ（ｂ）において、貫通孔の内部に充填材（１１８）を充填する。ステップ（ｃ）において、屋上スラブの鞘管の外周面にかけて防水層を形成し、ステップ（ｄ）では、鞘管内に通気管（１４）を挿通させて、その下端を管連結部材（１１０）に接続する。そして、この管連結部材を介して、建物（１００）に配設された排水管（１０２）と通気管とを接続する。そして、ステップ（ｅ）において、ゴムカバーを、通気管の外周面に本体上部が密着するとともに、鞘管の外周面に本体中部が密着し、さらに防水層の上端部分を本体下部が覆うように装着する。ステップ（ｆ）において、通気管の上端部に取付金具（２４）を固定し、この取付金具を介して、通気管の上端開口を覆う通気管保護部材（２６）を設ける。
【００３１】
第５の発明によれば、屋上スラブのコンクリートの打設後であっても、貫通孔の内部に鞘管を配置するまでは、鞘管が屋上スラブの上面よりも上方に突出しない。このため、たとえば建物が建設作業中であっても、鞘管が他の建設作業の支障となることがなく、施工性に優れる。
【００３２】
また、予め鞘管の内部に通気管を挿通させておくことで、通気管と排水管との管軸の芯ずれや斜め挿入などによる接合不良を防止することができる。しかも、鞘管の外周面と通気管の外周面との間が密封される。したがって、鞘管と通気管との間の水密性および気密性を確保することができる。そして、鞘管の外周面が外部に露出しないことにより、鞘管の耐候性を向上させることができる。したがって、鞘管の経年的な劣化を抑制することができる。
【００３３】
第６の発明は、第３の発明の屋上通気装置の施工方法であって、（ａ）型枠にフランジ部を固定することによって、当該型枠に鞘管を配置するステップ、（ｂ）型枠内にコンクリートを打設して、鞘管を一体的に埋め込んだ屋上スラブを形成するステップ、（ｃ）屋上スラブの鞘管の外周面にかけて防水層を形成するステップ、（ｄ）鞘管の内部に通気管を挿通して、当該通気管と建物に配設された排水管とを接続するステップ、（ｅ）本体上部、本体中部、および本体下部からなるゴムカバーを、通気管の外周面に本体上部が密着するとともに、鞘管の外周面に本体中部が密着し、さらに防水層の上端部分を本体下部が覆うように装着するステップ、および（ｆ）通気管の上端開口を通気管保護部材で覆うステップを含む、屋上通気装置の施工方法である。
【００３４】
第６の発明では、ステップ（ａ）において、型枠（１０６）に鞘管（１２）のフランジ部（２０）を固定することによって、型枠に鞘管を配置する。ステップ（ｂ）において、型枠内にコンクリートを打設して、鞘管を一体的に埋設固定した屋上スラブ（１０４）を形成する。ステップ（ｃ）において、屋上スラブの鞘管の外周面にかけて防水層を形成し、ステップ（ｄ）では、鞘管内に通気管（１４）を挿通させて、その下端を管連結部材（１１０）に接続する。そして、この管連結部材を介して、建物（１００）に配設された排水管（１０２）と通気管とを接続する。そして、ステップ（ｅ）において、ゴムカバーを、通気管の外周面に本体上部が密着するとともに、鞘管の外周面に本体中部が密着し、さらに防水層の上端部分を本体下部が覆うように装着する。ステップ（ｆ）において、通気管の上端部に取付金具（２４）を固定し、この取付金具を介して、通気管の上端開口を覆う通気管保護部材（２６）を設ける。
【００３５】
第６の発明によれば、屋上スラブのコンクリートの打設時の鞘管の浮き上がりや傾きをフランジ部によって防止することができる。しかも、鞘管の外周面と通気管の外周面との間が密封される。したがって、鞘管と通気管との間の水密性および気密性を確保することができる。そして、鞘管の外周面が外部に露出しないことにより、鞘管の耐候性を向上させることができる。したがって、鞘管の経年的な劣化を抑制することができる。
【００３６】
第７の発明は、第３の発明の屋上通気装置の施工方法であって、（ａ）屋上スラブの下面にフランジ部を固定することによって、当該屋上スラブを上下方向に貫通する貫通孔の内部に鞘管を配置するステップ、（ｂ）貫通孔の内部に充填材を充填するステップ、（ｃ）屋上スラブの鞘管の外周面にかけて防水層を形成するステップ、（ｄ）鞘管の内部に通気管を挿通して、当該通気管と建物に配設された排水管とを接続するステップ、（ｅ）本体上部、本体中部、および本体下部からなるゴムカバーを、通気管の外周面に本体上部が密着するとともに、鞘管の外周面に本体中部が密着し、さらに防水層の上端部分を本体下部が覆うように装着するステップ、および（ｆ）通気管の上端開口を通気管保護部材で覆うステップを含む、屋上通気装置の施工方法である。
【００３７】
第７の発明では、ステップ（ａ）において、屋上スラブ（１０４）の下面に鞘管（１２）のフランジ部（２０）を固定することによって、当該屋上スラブを上下方向に貫通する貫通孔（１０６）の内部に鞘管を配置する。ステップ（ｂ）において、貫通孔の内部に充填材（１１８）を充填する。ステップ（ｃ）において、屋上スラブの鞘管の外周面にかけて防水層を形成し、ステップ（ｄ）では、鞘管内に通気管（１４）を挿通させて、その下端を管連結部材（１１０）に接続する。そして、この管連結部材を介して、建物（１００）に配設された排水管（１０２）と通気管とを接続する。そして、ステップ（ｅ）において、ゴムカバーを、通気管の外周面に本体上部が密着するとともに、鞘管の外周面に本体中部が密着し、さらに防水層の上端部分を本体下部が覆うように装着する。ステップ（ｆ）において、通気管の上端部に取付金具（２４）を固定し、この取付金具を介して、通気管の上端開口を覆う通気管保護部材（２６）を設ける。
【００３８】
第７の発明によれば、貫通孔の内部への充填材の充填時に、この充填材の下方への漏れをフランジ部によって防止することができる。しかも、鞘管の外周面と通気管の外周面との間が密封される。したがって、鞘管と通気管との間の水密性および気密性を確保することができる。そして、鞘管の外周面が外部に露出しないことにより、鞘管の耐候性を向上させることができる。したがって、鞘管の経年的な劣化を抑制することができる。
【発明の効果】
【００４３】
この発明によれば、排水管への通気経路を形成する通気管が、屋上スラブを上下方向に貫通する鞘管の内部に挿通されるため、屋上通気装置の通気管を容易に更新することができる。
【００４４】
この発明の上述の目的，その他の目的，特徴および利点は、図面を参照して行う以下の実施例の詳細な説明から一層明らかとなろう。
【図面の簡単な説明】
【００４５】
【図１】この発明の一実施例の屋上通気装置を排水管の上部に設置した様子を示す断面図である。
【図２】図１の取付金具を示す図解図である。
【図３】（Ａ）は図１の通気管保護部材を示す上面図であり、（Ｂ）は図１の通気管保護部材を示す側面図である。
【図４】図１の屋上通気装置を施工する様子を示す断面図である。
【図５】図１の屋上通気装置を施工する様子を示す断面図である。
【図６】図１の屋上通気装置を施工する様子を示す断面図である。
【図７】この発明の別の実施例の屋上通気装置を排水管の上部に設置した様子を示す断面図である。
【図８】図７の屋上通気装置を施工する様子を示す断面図である。
【図９】図７の屋上通気装置を施工する様子を示す断面図である。
【図１０】この発明のさらに別の実施例の屋上通気装置を排水管の上部に設置した様子を示す断面図である。
【図１１】この発明のさらに別の実施例の屋上通気装置を排水管の上部に設置した様子を示す断面図である。
【図１２】この発明のさらに別の実施例の屋上通気装置を排水管の上部に設置した様子を示す断面図である。
【図１３】この発明のさらに別の実施例の屋上通気装置を排水管の上部に設置した様子を示す断面図である。
【図１４】図１３のゴムカバーを示す平面図である。
【図１５】図１３におけるゴムカバーを装着した部分の詳細を示す拡大図である。
【図１６】図１３のゴムカバーを示す断面図である。
【図１７】この発明のさらに別の実施例の屋上通気装を排水管の上部に設置した様子を示す断面図である。
【図１８】この発明のさらに別の実施例の屋上通気装置を排水管の上部に設置した様子を示す断面図である。
【図１９】この発明のさらに別の実施例の屋上通気装置を排水管の上部に設置した様子を示す断面図である。
【図２０】この発明のさらに別の実施例の屋上通気装置を排水管の上部に設置した様子を示す断面図である。
【図２１】この発明のさらに別の実施例の屋上通気装置を排水管の上部に設置した様子を示す断面図である。
【図２２】この発明のさらに別の実施例の屋上通気装置を排水管の上部に設置した様子を示す断面図である。
【図２３】この発明のさらに別の実施例の屋上通気装置を排水管の上部に設置した様子を示す断面図である。
【発明を実施するための形態】
【００４６】
図１を参照して、この発明の一実施例である屋上通気装置１０は、建物１００に配設された排水管１０２に外気を取り込むために、当該排水管１０２の上部に設置されるものであり、建物１００の屋上スラブ１０４を上下方向に貫通する鞘管１２と、鞘管１２の内部に挿通される通気管１４とを備えている。
【００４７】
図１に示すように、鞘管１２は、塩化ビニルなどの合成樹脂からなり、ブロー成形等によって直管状に形成される。鞘管１２は、垂直方向に延び、その上端が屋上スラブ１０４の上面よりも上方で開口するとともに、その下端が屋上スラブ１０４の下面と略等しい高さで開口する。たとえば、鞘管１２の外径は、１２６ｍｍであり、その内径は、１１４ｍｍである。
【００４８】
ただし、ここでいう「垂直」とは、厳密に垂直と一致するか否かを定義するものではなく、略垂直方向を含む垂直方向を意味する。
【００４９】
鞘管１２の上端開口付近の内周面には、ゴム輪溝１６が形成され、ゴム輪溝１６にゴム輪１８が装着される。これにより、鞘管１２内に通気管１４を挿通すると、ゴム輪１８の内周部が通気管１４の外周面と当接して、鞘管１２の内周面と通気管１４の外周面との間が密封されることとなる。
【００５０】
鞘管１２の外周面には、径方向の外側へ突出するフランジ部２０が設けられる。フランジ部２０は、たとえば鞘管１２の下端開口と略等しい高さ位置に配置され、詳細は後述するが、屋上スラブ１０４のコンクリートの打設時には、型枠１０６に固定されて、屋上スラブ１０４に一体的に埋め込まれる。たとえば、この実施例では、鞘管１２の下端部に短管部２２が固定的に設けられて、この短管部２２の下端にフランジ部２０が形成されるが、鞘管１２の外周面に、直接、径方向の外側へ突出するフランジ部２０を形成することもできる。
【００５１】
上述したように、鞘管１２の内部には、通気管１４が挿通される。通気管１４は、たとえば塩化ビニルやポリエチレンなど合成樹脂製パイプであり、排水管１０２への通気経路を形成する。たとえば、通気管１４の外径は、鞘管１２内に挿通可能な程度に、鞘管１２の内径とほぼ等しく設定される。
【００５２】
通気管１４は、鞘管１２の下端開口よりも下方に延び、詳細は後述するが、屋上スラブ１０４の下部で繊維混入モルタル管１０８の内部に挿通され、さらに、その下端が管連結部材１１０に接続される。そして、この管連結部材１１０を介して、通気管１４と建物１００に配設された排水管１０２とが接続される。
【００５３】
たとえば、繊維混入モルタル管１０８は、直管状に形成され、その上端開口が鞘管１２の下端開口に突き合わされる。繊維混入モルタル管１０８の内径は、通気管１４が挿通可能な程度に、通気管１４の外径とほぼ等しく設定される。
【００５４】
また、たとえば、管連結部材１１０は、ＭＤ継手などの両受け口の継手であり、その一方側の受口に通気管１４が接続され、その他方側の受口に排水管１０２が接続される。
【００５５】
通気管１４は、鞘管１２の上端開口よりも上方に延び、その上端部には、取付金具２４が固定され、この取付金具２４を介して、通気管１４の上端開口に通気管保護部材２６が設けられる。
【００５６】
図２に示すように、取付金具２４は、通気管１４の上端開口を直径方向に跨いで水平に延び、その中問部には、後述する連結ボルト３６を螺合するための雌ネジ部２８が形成される。取付金具２４の両端部には、ビス孔３０が形成されており、このビス孔３０を通したビス３２を通気管１４に取り付けることによって、取付金具２４と通気管１４とが固定される（図１参照）。
【００５７】
図３に示すように、通気管保護部材２６は、たとえばガラス繊維補強コンクリートによって形成され、上端が封止されて、かつ下端が開口する逆さ容器状を有している。この実施例では、通気管保護部材２６は、上面視で六角形状に、かつ側面視で台形状に形成されるが、これに限定される必要はなく、通気管１４への通気を確保でき、かつ通気管１４への雨水や異物の侵入を防止できる形状であればよい。通気管保護部材２６は、通気管１４の上端開口を間隔を隔てて覆い、その間隔は、たとえば１０ｍｍから１００ｍｍである。
【００５８】
通気管保護部材２６の上端面には、ボルト孔３４が形成される。ボルト孔３４は、取付金具２４の雌ネジ部２８と略同一の鉛直線上に載るように配置され、このボルト孔３４を通した連結ボルト３６を雌ネジ部２８に螺合させることによって、通気管保護部材２６が通気管１４に着脱可能に固定される（図１参照）。
【００５９】
また、通気管保護部材２６の側面には、複数の通気部３８が形成され、この通気部３８を通った外気が、通気管１４の上端開口に流れ込み、通気管１４から排水管１０２に取り入れられる。この実施例では、通気部３８は、縦方向が２０ｍｍ程度の横長スリットであるが、これに限定される必要はなく、通気管１４への通気を確保でき、かつ通気管保護部材２６への雨水や異物の侵入を防止できる形状であればよい。
【００６０】
また、通気管保護部材２６の下端には、切欠部４０が設けられ、通気管保護部材２６の内部に侵入した雨水を排水できるようになっている。
【００６１】
図４−図６を参照して、このような屋上通気装置１０を施工する方法を以下に示す。
【００６２】
先ず、屋上の床を構成する屋上スラブ１０４を形成するための型枠１０６を形成し、その型枠１０６内に鞘管１２を配置する。具体的には、鞘管１２に設けられたフランジ部２０を型枠１０６に固定することによって、鞘管１２を垂直方向に延びるように配置する。
【００６３】
それから、図４に示すように、型枠１０６内にコンクリートを打設して、鞘管１２を一体的に埋め込んだ屋上スラブ１０４を形成する。
【００６４】
次に、型枠を解体し、屋上スラブ１０４の上面から鞘管１２の外周面にかけて防水層４２を形成する。この防水層４２は、たとえばアスファルトルーフィングによって形成される。
【００６５】
防水層４２を形成した後、屋上スラブ１０４の上面を被覆している防水層４２の上にウレタン等からなる断熱層４４を形成し、さらに、その断熱層４４の表面から鞘管１２を被覆している防水層４２の表面にかけて第２の防水層４６を形成する。
【００６６】
第２の防水層４６を形成した後、鞘管１２の上端開口付近に位置する防水層４２，４６の上端部分をステンレス製の締付けバンド４８で締付けるとともに、その上端部分に防水シール５０を設ける。
【００６７】
次に、図５に示すように、鞘管１２の内部に通気管１４を挿通させて、通気管１４と建物１００に配設された排水管１０２とを接続する。具体的には、図６に示すように、鞘管１２の上端開口から挿入した通気管１４を、繊維混入モルタル管１０８の内部に挿通させて、そのまま管連結部材１１０に接続する。そして、この管連結部材１１０を介して、通気管１４と排水管１０２とを接続する。
【００６８】
続いて、繊維混入モルタル管１０８の上端開口と鞘管１２の下端開口との突き合わせ部分に、繊維混入モルタル管１０８の外周面からフランジ部２０の下面にかけて止水用コーキング材１１２を施す。
【００６９】
最後に、通気管１４の上端部に取付金具２４を固定し、この取付金具２４を介して、通気管１４の上端開口に通気管保護部材２６を設けて、作業を終了する（図１参照）。
【００７０】
このように、この屋上通気装置１０では、排水管１０２への通気経路を形成する通気管１４が、屋上スラブ１０４を上下方向に貫通する鞘管１２の内部に挿通される。このため、たとえば、通気管１４を補修ないし交換（更新）する場合にも、通気管１４から通気管保護部材２６を取り外して、通気管１４を鞘管１２から抜き取り、それから、鞘管１２内に新しい通気管１４を挿通させて、その新しい通気管１４に通気管保護部材２６を取り付けるだけでよい。したがって、屋上スラブ１０４を壊すことなく通気管１４を更新することができる。さらに、鞘管１２の外周面を覆うように防水層４２，４６が形成されるため、防水層４２，４６を剥がすことなく通気管１４を更新することができる。すなわち、この実施例によれば、屋上通気装置１０の通気管１４を容易に更新することができる。
【００７１】
また、屋上スラブ１０４を壊すことなく通気管１４の更新が可能であるため、この屋上通気装置１０を設置している建物１００は、「住宅の品質確保の促進等に関する法律」における維持管理の容易性に関して等級２以上に適合される。
【００７２】
さらにまた、この実施例では、鞘管１２の内周面に形成されたゴム輪溝１６にゴム輪１８が装着されて、鞘管の内周面と通気管の外周面との間が密封される。このため、鞘管１２と通気管１４との間の水密性および気密性を確保することができる。したがって、鞘管１２と通気管１４との隙間から建物１００内への水や虫などの浸入を防止することができる。
【００７３】
また、この実施例では、鞘管１２の外周面に設けられるフランジ部２０が、屋上スラブ１０４のコンクリートの打設時に、型枠１０６に固定されて、屋上スラブ１０４に一体的に埋め込まれる。したがって、屋上スラブ１０４のコンクリートの打設時に、鞘管１２の浮き上がりや傾きを防止して、鞘管１２の位置を保持することができるとともに、屋上スラブ１０４の形成後にも、鞘管１２の落下や傾きを防止して、鞘管１２の位置を保持することができる。
【００７４】
なお、この実施例では、鞘管１２の外周面にフランジ部２０が設けられ、このフランジ部２０を型枠１０６に固定することによって、鞘管１２の位置を保持したが、これに限定される必要はなく、屋上スラブ１０４のコンクリートの打設時に鞘管１２の位置を保持することができるのであれば、鞘管１２の外周面にフランジ部２０を設けなくてもよい。たとえば、図示は省略するが、鞘管１２に配筋固定部を設け、この配筋固定部に型枠１０６内に配置されている配筋を挟み込むことによって、屋上スラブ１０４のコンクリートの打設時の鞘管１２の位置を保持してもよい。
【００７５】
また、この実施例では、鞘管１２が屋上スラブ１０４のコンクリートに一体的に埋め込まれたが、これに限定される必要はない。
【００７６】
たとえば、図７に示すこの発明の他の一実施例である屋上通気装置１０では、屋上スラブ１０４を上下方向に貫通する貫通孔１１６の内部に鞘管１２が配置され、貫通孔１１６の内部に充填された充填材１１８を介して鞘管１２が屋上スラブ１０４に固定される。
【００７７】
図７−図９を参照して、このような屋上通気装置１０を施工する方法を以下に示す。
【００７８】
このような屋上通気装置１０を施工するためには、先ず、屋上スラブ１０４を打設するための型枠１０６を形成し、この型枠１０６内にボイド管１１４を配置する。なお、ボイド管１１４は、紙で形成された直管であり、その外径は鞘管１２の外径以上に大きく設定される。
【００７９】
次に、図８に示すように、型枠１０６内にコンクリートを打設する。そして、型枠１０６を解体し、ボイド管１１４を屋上スラブ１０４から取り除く。ボイド管１１４を取り除くと、その位置に屋上スラブ１０４を上下方向に貫通する貫通孔１１６が形成される。
【００８０】
次に、貫通孔１１６内に鞘管１２を配置する。具体的には、図９に示すように、鞘管１２に設けられたフランジ部２０を屋上スラブ１０４の下面に固定することによって、鞘管１２を垂直方向に延びるように配置する。
【００８１】
それから、貫通孔１１６の内面と鞘管１２の外面との間に、モルタルなどの充填材１１８を充填する。すると、充填材１１８が乾いた後、充填材１１８を介して鞘管１２が屋上スラブ１０４に固定されることとなる。なお、充填材１１８の上面は、ゴムベラなどを用いて、屋上スラブ１０４のコンクリート部分の上面と略等しい高さに均すとよい。
【００８２】
次に、屋上スラブ１０４の上面から鞘管１２の外周面にかけて防水層４２を形成する。防水層４２を形成した後、屋上スラブ１０４の上面を被覆している防水層４２の上に断熱層４４を形成し、さらに、その断熱層４４の表面から鞘管１２を被覆している防水層４２の表面にかけて第２の防水層４６を形成する。
【００８３】
第２の防水層４６を形成した後、鞘管１２の上端開口付近に位置する防水層４２，４６の上端部分をステンレス製の締付けバンド４８で締付けるとともに、その上端部分に防水シール５０を設ける。
【００８４】
次に、鞘管１２の内部に通気管１４を挿通させて、通気管１４と建物１００に配設された排水管１０２とを接続する。
【００８５】
続いて、繊維混入モルタル管１０８の上端開口と鞘管１２の下端開口との突き合わせ部分に、繊維混入モルタル管１０８の外周面からフランジ部２０のフランジ部２０の下面にかけて止水用コーキング材１１２を施す。
【００８６】
最後に、通気管１４の上端部に取付金具２４を固定し、この取付金具２４を介して、通気管１４の上端開口に通気管保護部材２６を設けて、作業を終了する（図７参照）。
【００８７】
この実施例においても、図１の実施例と同様に、屋上スラブ１０４を壊すことなく通気管１４を更新することができる。さらに、防水層４２，４６を剥がすことなく通気管１４を更新することができる。したがって、屋上通気装置１０の通気管１４を容易に更新することができる。
【００８８】
また、この実施例では、鞘管１２が屋上スラブ１０４に一体的に埋め込まれるのではなく、貫通孔１１６内に配置された鞘管１２が充填材１１８を介して屋上スラブ１０４に固定される。すなわち、屋上スラブ１０４のコンクリートの打設後であっても、貫通孔１１６の内部に鞘管１２を配置するまでは、鞘管１２が屋上スラブ１０４の上面よりも上方に突出しない。このため、建物１００が建設作業中であっても、鞘管１２が他の建設作業の支障となることがなく、施工性に優れる。
【００８９】
さらに、この実施例では、鞘管１２に設けられたフランジ部２０が、屋上スラブ１０４の下面に固定される。このため、貫通孔１１６内への充填材１１８の充填時にも、このフランジ部２０によって、充填材１１８の下方への漏れを防止することができる。
【００９０】
なお、この実施例では、貫通孔１１６内に鞘管１２を配置し、その貫通孔１１６と鞘管１２との間に充填材１１８を充填した後、鞘管１２の内部に挿通させた通気管１４と排水管１０２とを接続したが、これに限定される必要はない。たとえば、予め鞘管１２の内部に挿通させておいた通気管１４を、鞘管１２の貫通孔１１６への配置時に排水管１０２に接続し、その後、貫通孔１１６と鞘管１２との間に充填材１１８を充填してもよい。この場合には、通気管１２と排水管１０２との管軸の芯ずれや斜め挿入などによる接合不良を防止することができる。
【００９１】
また、この実施例では、鞘管１２の外周面にフランジ部２０が設けられ、このフランジ部２０を屋上スラブ１０４の下面に固定することによって、鞘管１２の位置を保持したが、これに限定される必要はなく、図１０に示すように、貫通孔１１６内への充填材１１８の充填時に鞘管１２の位置を保持することができるのであれば、鞘管１２の外周面にフランジ部２０を設けなくてもよい。
【００９２】
たとえば、ボイド管１１４を配置した型枠１０６内にコンクリートを打設した後、そのまま鞘管１２を型枠１０６上に載置し、貫通孔１１６内へ充填材１１８を充填した後で型枠１０６を解体することによって、鞘管１２の外周面にフランジ部２０を設けなくても、貫通孔１１６内への充填材１１８の充填時の鞘管１２の位置を保持することができる。さらに、この型枠１０６によって、貫通孔１１６内への充填材１１８の充填時の充填材１１８の下方への漏れを防止することができる。
【００９３】
また、たとえば、図示は省略するが、中央部に開口を有するドーナツ板状の支持具を屋上スラブ１０４の下面に固定し、この支持具に鞘管１２を載置し固定することによって、貫通孔１１６内への充填材１１８の充填時の鞘管１２の位置を保持してもよい。
【００９４】
なお、上述の各実施例ではいずれも、鞘管１２が塩化ビニルなどの合成樹脂によって形成されたが、これに限定される必要はなく、鞘管１２をステンレスなどの金属によって形成することもできる。
【００９５】
また、上述の各実施例ではいずれも、鞘管１２の上端開口付近のゴム輪溝１６にゴム輪１８が装着され、このゴム輪１８の内周部が通気管１４の外周面と当接することによって、鞘管１２と通気管１４との間が密封されたが、これに限定される必要はない。
【００９６】
たとえば、図１１に示すように、鞘管１２の下端開口付近の内周面にゴム輪溝１６を形成して、そのゴム輪溝１６にゴム輪１８を装着してもよい。なお、図１１では、図１の実施例における屋上通気装置１０によって図示したが、図１２に示すように、図７の実施例における屋上通気装置１０でも同様である。
【００９７】
また、鞘管１２と通気管１４との間の水密性および気密性を確保することができるのであれば、鞘管１２のゴム輪溝１６に装着したゴム輪１８によって鞘管１２と通気管１４との間を密封するのではなく、適宜の手段を採用することができる。
【００９８】
図１３に示すこの発明のさらに他の一実施例である屋上通気装置１０では、鞘管１２の上端部に設けられるゴムカバー１２０によって鞘管１２と通気管１４との間が密封される。
【００９９】
図１３に示すように、ゴムカバー１２０は、ＳＢＲ（スチレンブタジエンゴム）等の合成ゴムによって略円筒状に形成され、鞘管１２の外周面と通気管１４の外周面とにまたがってそれらを覆う。
【０１００】
図１４に示すように、ゴムカバー１２０は、本体上部１２２、本体中部１２４および本体下部１２６からなり、この順に下側に向かうにしたがって拡径する形状を有しており、本体上部１２２が締付けバンド４８で締付けられて通気管１４の外周面に密着されるとともに、本体中部１２４が締付けバンド４８で締付けられて鞘管１２の外周面に密着される。
【０１０１】
また、ゴムカバー１２０の本体下部１２６は、本体中部１２４から下方に延出して、鞘管１２の上端開口付近に位置する防水層４２，４６の上端部分を覆い、これによって、鞘管１２と防水層４２，４６との間への水の浸入が防止される。
【０１０２】
なお、本体下部１２６の上下方向の長さは、防水層４２，４６の施工誤差を許容可能な所定の値に設定するとよい。
【０１０３】
また、図１６に示すように、本体上部１２２および本体中部１２４のそれぞれの内周面には、径方向の内側に突出する内面突起部１２８が形成される。内面突起部１２８は、面圧（接触圧）を大きくして鞘管１２ないし通気管１４との水密性を向上させるためのものであり、この実施例では、本体上部１２２および本体中部１２４のそれぞれの内周面に、３つずつの内面突起部１２８が形成される。
【０１０４】
さらに、本体上部１２２および本体中部１２４のそれぞれの外周面には、径方向の外側に突出する外面突起部１３０が形成される。外面突起部１３０は、締付けバンド４８のずれを防止するためのものであり、この実施例では、本体上部１２２および本体中部１２４のそれぞれの外周面に、締め付けバンド４８の上下方向の長さに対応する所定の間隔を隔てて２つの外面突起部１３０が形成される。そして、本体上部１２２ないし本体中部１２４を締付けバンド４８で締付けるときには、締付けバンド４８の上側と下側とに１つずつの外面突起部１３０が位置することとなる（図１５参照）。
【０１０５】
このように、この実施例では、ゴムカバー１２０が鞘管１２の外周面と通気管１４の外周面とにまたがってそれらを覆うことにより、鞘管１２の外周面と通気管１４の外周面との間が密封されるため、図１の実施例と同様に、鞘管１２と通気管１４との間の水密性および気密性を確保することができる。したがって、鞘管１２と通気管１４との隙間から建物１００内への水や虫などの浸入を防止することができる。
【０１０６】
さらに、この実施例では、鞘管１２の外周面と通気管１４の外周面とにまたがるゴムカバー１２０を締付けバンド４８で締め付けることによって、鞘管１２と通気管１４との間を密封するため、鞘管１２のゴム輪溝１６に装着したゴム輪１８によって鞘管１２と通気管１４との間を密封する場合と比較して、鞘管１２内への通気管１４の挿入抵抗および引き抜き抵抗が低減され、その分だけ通気管１４の更新時の作業性も向上する。
【０１０７】
また、鞘管１２への通気管１４の挿入時に、ゴム輪１８がよれたりねじれたりするいわゆる「転び」が発生することがないため、鞘管１２と通気管１４との間を確実に密封することができる。
【０１０８】
さらにまた、ゴムカバー１２０が経年的に劣化した場合であっても、容易にゴムカバー１２０を取り替えることができる。
【０１０９】
さらに、この実施例では、ゴムカバー１２０の本体上部１２２が通気管１４の外周面に密着するとともに、このゴムカバー１２０の本体中部１２４が鞘管１２の外周面に密着し、さらにこのゴムカバー１２０の本体下部１２６が防水層４２，４６の上端部を覆う。このため、鞘管１２の外周面が外部に露出せず、鞘管１２の耐候性を向上させることができる。したがって、鞘管１２の経年的な劣化を抑制することができる。
【０１１０】
また、この実施例では、ゴムカバー１２０の本体上部１２２を締付けバンド４８で通気管１４の外周面に密着させるとともに、このゴムカバー１２０の本体中部１２４を締付けバンド４８で鞘管１２の外周面に密着させる。ここで、たとえばゴムカバー１２０を防水層４２，４６などに締付けバンド４８で締付けても、防水層４２，４６の外面が平滑でないことにより止水性の確保が困難であるが、この実施例によれば、鞘管１２および通気管１４の外周面は平滑であるため、ゴムカバー１２０を鞘管１２および通気管１４に確実に密着させて止水性を確保することができる。
【０１１１】
さらにまた、この実施例によれば、鞘管１２にゴム輪溝１６を形成する必要がないため、たとえば施工現場で鞘管１２の長さを調整することができる。
【０１１２】
なお、この実施例では、ゴムカバー１２０の本体下部１２６が防水層４２，４６の上端部分を覆い被さったが、これに限定される必要はない。
【０１１３】
たとえば、本体上部１３２と本体下部１３４とからなるゴムカバー１３０によって鞘管１２と通気管１４との間が密封してもよい。この場合には、図１７に示すように、ゴムカバー１３０の本体上部１３２を締付けバンド４８で通気管１４の外周面に密着するとともに、このゴムカバー１３０の本体中部１３４を締付けバンド４８で鞘管１２の外周面に密着する。
【０１１４】
また、たとえば、図１８に示すように、ゴムカバー１３０の本体上部１３２を締付けバンド４８で通気管１４の外周面に密着するとともに、鞘管１２をまたいで、ゴムカバー１３０の本体下部１３４を第２の防水層４６の外周面に締付けバンド４８で締付けて密着させてもよい。
【０１１５】
さらにまた、図示は省略するが、ゴムカバー１２０と鞘管１２の外周面、通気管１４の外周面ないし第２の防水層４６の外周面とを密着させるのに、締付けバンド４８を用いずに、ゴムカバー１２０と鞘管１２との間、ゴムカバー１２０と通気管１４との間、そしてゴムカバー１２０と第２の防水層４６との間にブチルゴムなどの粘着性テープを挟み込み、ゴム収縮力によってゴムカバー１２０を鞘管１２の外周面、通気管１４の外周面ないし第２の防水層４６の外周面に圧着させてもよい。
【０１１６】
さらに、図示は省略するが、ゴムカバー１２０を締め付けるための締付けバンド４８に取付金具２４を固定し、この取付金具２４を介して、通気管１４の上端開口に通気管保護部材２６を設けることもできる。
【０１１７】
さらにまた、図１３、図１８および図１９では、図１の実施例における屋上通気装置１０の鞘管１２と通気管１４との間をゴムカバー１２０によって密封したが、図１９、図２０および図２１に示すように、図７の実施例における屋上通気装置１０でも同様である。
【０１１８】
また、上述の各実施例ではいずれも、鞘管１２の下端開口と繊維混入モルタル管１０８の上端開口との突き合わせ部分に止水用コーキング材１１２が施されたが、これに限定される必要はない。
【０１１９】
たとえば、図２２に示すように、鞘管１２と繊維混入モルタル管１０８との突き合わせ部分にＯ（オー）リング状のゴム部材１２２を設け、このゴム部材１２２によって鞘管１２と繊維混入モルタル管１０８との突き合わせ部分を止水してもよい。なお、図２２では、図１の実施例における屋上通気装置１０によって図示したが、図７の実施例における屋上通気装置１０でも同様である。
【０１２０】
また、たとえば、鞘管１２と通気管１４との間に結露が発生しない場合には、鞘管１２と繊維混入モルタル管１０８との突き合わせ部分に、上述した止水用コーキング材１１２やゴム部材１２２を設けなくてもよい。
【０１２１】
さらにまた、上述の各実施例ではいずれも、通気管１４の上端部に取付金具２４が固定され、この取付金具２４を介して、通気管１４の上端開口を覆う通気管保護部材２６が設けられたが、これに限定される必要はない。たとえば、鞘管１２の上端部に取付金具２４を固定し、この取付金具２４を介して、通気管１４の上端開口を覆う通気管保護部材２６を設けてもよい。
【０１２２】
さらに、上述の各実施例ではいずれも、鞘管１２を一本の管部材として直管状に形成したが、これに限定される必要はない。たとえば、図示は省略するが、複数の管部材を直管状に組み合わせることよって鞘管１２を形成してもよい。たとえば、鞘管１２を屋上スラブ１０４の上面と略等しい高さ位置で分割可能に形成すれば、鞘管１２が屋上スラブ１０４の上面よりも上方に突出しない。このため、建物１００が建設作業中であっても、鞘管１２が他の建設作業の支障となることがなく、施工性に優れる。
【０１２３】
さらにまた、上述の各実施例ではいずれも、通気管１４は、屋上スラブ１０４の下部で繊維混入モルタル管１０８の内部に挿通されたが、これに限定される必要はない。たとえば、図示は省略するが、鞘管１２の内部に挿通させた通気管１４を管連結部材１１０に接続した後、通気管１４の周囲をグラスウール等の断熱材１２４によって覆うことで、繊維混入モルタル管１０８が不要となる。また、図２３に示すように、繊維混入モルタル管１０８の長さをやや短くして、通気管１４の下端部の周囲のみ断熱材１２４によって覆うこともできる。
【０１２４】
なお、上述した径や高さ等の具体的数値は、いずれも単なる一例であり、必要に応じて適宜変更可能である。
【符号の説明】
【０１２５】
１０  …屋上通気装置
１２  …鞘管
１４  …通気管
１６  …ゴム輪溝
１８  …ゴム輪
２０  …フランジ部
２６  …通気管保護部材
４２，４６  …防水層
４４  …断熱層
１００  …建物
１０２  …排水管
１０４  …屋上スラブ
１０６  …型枠
１１４  …貫通孔
１１６  …充填材
１２０  …ゴムカバー
【図１】
0005632647.tif 000002
【図２】
0005632647.tif 000003
【図３】
0005632647.tif 000004
【図４】
0005632647.tif 000005
【図５】
0005632647.tif 000006
【図６】
0005632647.tif 000007
【図７】
0005632647.tif 000008
【図８】
0005632647.tif 000009
【図９】
0005632647.tif 000010
【図１０】
0005632647.tif 000011
【図１１】
0005632647.tif 000012
【図１２】
0005632647.tif 000013
【図１３】
0005632647.tif 000014
【図１４】
0005632647.tif 000015
【図１５】
0005632647.tif 000016
【図１６】
0005632647.tif 000017
【図１７】
0005632647.tif 000018
【図１８】
0005632647.tif 000019
【図１９】
0005632647.tif 000020
【図２０】
0005632647.tif 000021
【図２１】
0005632647.tif 000022
【図２２】
0005632647.tif 000023
【図２３】
0005632647.tif 000024